(57)【要約】  サイクリックプリフィックスを有効に利用して受信品質を向上させることができる無線送信装置。この装置において、データマッピング決定部（２０４）は、τｍａｘ情報に基づいてデータマッピング方法を決定し、データマッピング部（２０７）は、変調部（２０５）及び変調部（２０６）から出力された信号をデータマッピング決定部（２０４）で決定されたデータマッピング方法でデータマッピングする。データマッピング決定部（２０４）は、通信相手から送信されたτｍａｘ情報を取得し、データ部後端から（ＴＧＩ−τｍａｘ）に相当する部分に、制御チャネル、システマチックビット、再送ビット、ＡＣＫ／ＮＡＣＫ情報（ＡＣＫまたはＮＡＣＫ）、ＣＱＩ（Channel Quality Indicator）、ＴＦＣＩ（Transport Format Combination Indicator）、復調に必要な情報、パイロット、パワコンビットなどの重要な情報をマッピングすることを決定する。
2007105765.tif 000002
【特許請求の範囲】
【請求項１】
サブフレームの先頭ブロックのデータ部後端からサイクリックプリフィックス長に相当する部分にＣＱＩまたはＴＦＣＩをマッピングするとともに、前記先頭ブロックに後続するブロックのデータ部後端からサイクリックプリフィックス長に相当する部分にＡＣＫまたはＮＡＣＫをマッピングするマッピング手段と、
データ部から前記サイクリックプリフィックス長を有するサイクリックプリフィックスを生成し、生成したサイクリックプリフィックスをデータ部の先頭に付加する付加手段と、
サイクリックプリフィックスが付加されたデータを送信する送信手段と、
を具備する無線送信装置。
【請求項２】
請求項１記載の無線送信装置を具備する基地局装置。
【請求項３】
請求項１記載の無線送信装置を具備する移動局装置。
【請求項４】
サブフレームの先頭ブロックのデータ部後端からサイクリックプリフィックス長に相当する部分にＣＱＩまたはＴＦＣＩをマッピングするとともに、前記先頭ブロックに後続するブロックのデータ部後端からサイクリックプリフィックス長に相当する部分にＡＣＫまたはＮＡＣＫをマッピングするマッピング工程と、
データ部から前記サイクリックプリフィックス長を有するサイクリックプリフィックスを生成し、生成したサイクリックプリフィックスをデータ部の先頭に付加する付加工程と、
サイクリックプリフィックスが付加されたデータを送信する送信工程と、
を具備する無線送信方法。
【発明の詳細な説明】
【技術分野】
【０００１】
本発明は、無線送信装置及び無線送信方法に関し、特に、シングルキャリア伝送システムに用いられる無線送信装置及び無線送信方法に関する。
【背景技術】
【０００２】
近年、次世代移動体通信システム向けに、周波数等化シングルキャリア伝送システムが検討されている。周波数等化シングルキャリア伝送システムでは、時間軸方向に配置されたデータシンボルがシングルキャリアで伝送される。受信装置は、伝送路における信号の歪みを周波数軸上で等化することによりその歪みを補正する。より具体的には、周波数軸上で周波数毎にチャネル推定値を算出し、周波数毎に伝搬路歪みを等化するための重み付けを行う。そして、受信したデータを復調する。【０００３】
このような周波数等化シングルキャリア伝送システムとして、特許文献１に開示された技術があり、以下、この技術について簡単に説明する。特許文献１に開示の伝送システムでは、図１に示すように、送信データ（図中データ部）の後部の所定の一部をガードインターバル（以下、「ＧＩ」と省略する）としてデータ部の先頭に付加した信号を生成する。このように生成された信号は送信装置から送信され、伝搬路中で直接波と遅延波が合成されて受信装置に到達する。受信装置では、図２に示すように、受信したデータに対してタイミング同期処理を行い、直接波のデータ部の先頭からデータ部長の信号が抽出される。これにより、抽出された信号は、直接波成分、遅延波成分及び受信装置におけるノイズ成分が含まれており、これらの成分が合成された信号となる。そして、抽出された信号は、周波数軸で波形歪みの等化処理（周波数軸等化）を施され、復調される。【０００４】
なお、ＧＩをサイクリックプリフィックス（Cyclic Prefix）と称することもある。
【特許文献１】特開２００４−３４９８８９号公報
【発明の開示】
【発明が解決しようとする課題】
【０００５】
しかしながら、上述した特許文献１に開示の技術では、ＧＩを挿入していることから同一データを繰り返し送信していることになるが、復調に使用されないＧＩ部分のエネルギーが無駄になっている。一般に、ＧＩはデータ部長の１０〜２５％とすることが多く、視点を変えると、送信エネルギーの１０〜２５％近くが常に無駄になっていることになる。【０００６】
本発明の目的は、ＧＩを有効に利用して受信品質を向上させることができる無線送信装置及び無線送信方法を提供することである。
【課題を解決するための手段】
【０００７】
本発明の無線送信装置は、サブフレームの先頭ブロックのデータ部後端からサイクリックプリフィックス長に相当する部分にＣＱＩまたはＴＦＣＩをマッピングするとともに、前記先頭ブロックに後続するブロックのデータ部後端からサイクリックプリフィックス長に相当する部分にＡＣＫまたはＮＡＣＫをマッピングするマッピング手段と、データ部から前記サイクリックプリフィックス長を有するサイクリックプリフィックスを生成し、生成したサイクリックプリフィックスをデータ部の先頭に付加する付加手段と、サイクリックプリフィックスが付加されたデータを送信する送信手段と、を具備する構成を採る。
【発明の効果】
【０００８】
本発明によれば、サイクリックプリフィックスを有効に利用して受信品質を向上させることができる。
【図面の簡単な説明】
【０００９】
【図１】ＧＩの生成方法を示す図
【図２】特許文献１に開示された受信装置における受信処理の説明に供する図
【図３】本発明の実施の形態１に係る受信装置の構成を示すブロック図
【図４】図３に示す受信装置が受信したデータを示す図
【図５】図３に示す受信装置における受信処理の説明に供する図
【図６】本発明の実施の形態２に係る送信装置の構成を示すブロック図
【図７】ＧＩの生成方法の説明に供する図
【図８】データマッピングの方法を示す送信フォーマット図（方法Ａ）
【図９】データマッピングの方法を示す送信フォーマット図（方法Ｂ）
【図１０】データマッピングの方法を示す送信フォーマット図（方法Ｃ）
【図１１】データマッピングの方法を示す送信フォーマット図（方法Ｄ）
【図１２】データマッピングの方法を示す送信フォーマット図（方法Ｅ）
【図１３】データマッピングの方法を示す送信フォーマット図（方法Ｆ）
【図１４】データマッピングの方法を示す送信フォーマット図（方法Ｇ）
【図１５】データマッピングの方法を示す送信フォーマット図（方法Ｈ）
【図１６】本発明の実施の形態４に係る受信装置の構成を示すブロック図
【図１７】図１６に示す受信装置における受信処理の説明に供する図
【図１８】本発明の実施の形態４に係る送信装置の構成を示すブロック図
【図１９】データマッピングの方法を示す送信フォーマット図
【図２０】データマッピングの方法を示す送信フォーマット図
【図２１】本発明の実施の形態５における受信処理の説明に供する図
【図２２】データマッピングの方法を示す送信フォーマット図
【図２３】データマッピングの方法を示す送信フォーマット図
【図２４】データマッピングの方法を示す送信フォーマット図
【図２５】データマッピングの方法を示す送信フォーマット図
【図２６】データマッピングの方法を示す送信フォーマット図
【図２７】データマッピングの方法を示す送信フォーマット図
【発明を実施するための最良の形態】
【００１０】
以下、本発明の実施の形態について、図面を参照して詳細に説明する。【００１１】
（実施の形態１）
図３は、本発明の実施の形態１に係る受信装置１００の構成を示すブロック図である。この図において、受信ＲＦ部１０２は、アンテナ１０１を介して受信した信号に対して、ダウンコンバート、Ａ／Ｄ変換などの所定の無線受信処理を行い、処理を行った信号を直接波タイミング検出部１０３、データ抽出部１０４、最大遅延時間検出部１０５及びＧＩ抽出部１０７に出力する。【００１２】
直接波タイミング検出部１０３は、受信ＲＦ部１０２から出力された信号から、図４に示すような直接波のデータ部先頭のタイミング（直接波タイミング）を検出し、検出したタイミングをデータ抽出部１０４及びＧＩ抽出部１０７に出力する。【００１３】
データ抽出部１０４は、直接波タイミング検出部１０３から出力されたタイミングに基づいて、受信ＲＦ部１０２から出力された信号の直接波のデータ部先頭からデータ部長ＴＤＡＴＡの信号を抽出し、抽出した信号を合成部１０９に出力する。【００１４】
最大遅延時間検出部１０５は、受信ＲＦ部１０２から出力された信号から遅延波の最大時間（最大遅延時間τｍａｘ）を検出し、検出した最大遅延時間τｍａｘを抽出ＧＩ長決定部１０６に出力する。【００１５】
抽出ＧＩ長決定部１０６は、受信データのＧＩ長を示すＴＧＩを取得し、取得したＴＧＩから最大遅延時間τｍａｘを差し引くことにより求めた長さをＧＩ抽出部１０７及びデータ分離部１１１に出力する。【００１６】
ＧＩ抽出部１０７は、抽出ＧＩ長決定部１０６により求めた長さのＧＩを受信ＲＦ部１０２から出力された信号から抽出し、抽出したＧＩ（以下、「抽出ＧＩ」という）をデータ位置調整部１０８に出力する。データ位置調整部１０８は、ＧＩ抽出部１０７から出力された抽出ＧＩの後端をデータ部後端の位置に調整し、データ位置を調整した抽出ＧＩを合成部１０９に出力する。【００１７】
合成部１０９は、データ抽出部１０４から出力されたデータ部とデータ位置調整部１０８から出力された抽出ＧＩとを合成し、合成した信号を周波数軸等化処理部１１０に出力する。周波数軸等化処理部１１０は、合成部１０９から出力された信号の歪みを周波数軸上で等化することにより歪みを補正し、補正した信号をデータ分離部１１１に出力する。【００１８】
データ分離部１１１は、周波数軸等化処理部１１０から出力された信号を、データ部後端から抽出ＧＩ長決定部１０６により決定された抽出ＧＩ長分遡った位置で分離する。すなわち、データ部から抽出ＧＩを合成した部分を分離する。抽出ＧＩが合成されていないデータ部先頭を含む部分は復調部１１２に出力され、抽出ＧＩが合成されたデータ部後端を含む部分は復調部１１３に出力される。【００１９】
復調部１１２及び復調部１１３は、それぞれデータ分離部１１１から出力されたデータを復調し、復調部１１２は復調したデータＡを、復調部１１３は復調したデータＢをそれぞれ出力する。【００２０】
次に、上述した構成を有する受信装置１００の動作について図５を用いて説明する。データ抽出部１０４では、直接波成分、遅延波成分及び受信装置におけるノイズ成分（以下、単に「ノイズ成分」という）が合成された受信信号について、直接波のデータ部先頭からデータ部長ＴＤＡＴＡ分抽出する。【００２１】
また、ＧＩ抽出部１０７では、ＧＩ長ＴＧＩから最大遅延時間τｍａｘを差し引いたＧＩ部分を抽出する。具体的には、データ部先頭（ＧＩ後端）から最大遅延時間τｍａｘ分遡った分のＧＩ、すなわち、時間的に隣接するデータの干渉を受けない部分のＧＩを抽出する。【００２２】
データ位置調整部１０８では、抽出ＧＩの後端と抽出したデータ部の後端とが一致するように抽出ＧＩのデータ位置を調整し、データ位置を調整した抽出ＧＩとデータ部とを合成部１０９において合成する。このとき、抽出ＧＩは、データ抽出部１０４によって抽出されたデータ部の後端部分と同じ信号であり、特に、合成する部分に含まれるノイズ成分は互いに異なる成分であることから、これらを合成することにより、合成部分のＳＮＲ（Signal to Noise Ratio）が向上することになる。合成部１０９で合成された信号は、周波数軸等化処理部１１０において信号の歪みが等化され、抽出ＧＩが合成された部分はＳＮＲが向上しているので、誤り率特性も改善することができる。【００２３】
このように実施の形態１によれば、受信信号に含まれるＧＩから時間的に隣接するデータの干渉を受けていない部分を抽出し、抽出したＧＩ部分をデータ部後端部分と合成することにより、ＧＩのエネルギーを有効に利用して復調することができるので、合成部分のＳＮＲを向上させることができ、よって、合成部分の誤りを低減させることができる。【００２４】
（実施の形態２）
ＯＦＤＭ方式のようなマルチキャリア伝送の場合には、ＧＩ部分の合成により、時間軸上においてはＯＦＤＭシンボルのうちの一部でＳＮＲが向上する。しかし、ＯＦＤＭシンボルを時間軸から周波数軸に変換すると、そのＳＮＲの向上はＯＦＤＭシンボルを構成するすべてのサブキャリアに等しく分配されてしまう。その結果、各サブキャリアにマッピングされた各シンボルのＳＮＲは等しく向上するが、その向上は小さいものとなる。【００２５】
これに対し、本発明のようなシングルキャリア伝送では、時間軸上に配置されたシンボルがシングルキャリアで伝送されるため、ＧＩ部分の合成により、ＧＩの元となるシンボルにおいてのみＳＮＲを向上させることができる。また、ＳＮＲの向上は、約３dBと非常に大きくなることが期待される。【００２６】
このように、マルチキャリア伝送の場合は各シンボルのＳＮＲを小さい度合いで等しく向上させることしかできないのに対し、本発明のようなシングルキャリア伝送では、ＧＩの元となる一部のシンボルにおいてのみＳＮＲを大きい度合いで向上させることができる。【００２７】
本実施の形態は、このようなシングルキャリア伝送におけるＧＩ部分の特性に着目したものである。【００２８】
図６は、本発明の実施の形態２に係る送信装置２００の構成を示すブロック図である。この図において、受信ＲＦ部２０２は、アンテナ２０１を介して受信した信号に対して、ダウンコンバート、Ａ／Ｄ変換などの所定の無線受信処理を行い、処理を行った信号をτｍａｘ情報取得部２０３に出力する。【００２９】
τｍａｘ情報取得部２０３は、受信ＲＦ部２０２から出力された信号に含まれる、通信相手における遅延波の最大時間（最大遅延時間）を示すτｍａｘ情報を取得し、取得したτｍａｘ情報をデータマッピング決定部２０４に出力する。【００３０】
データマッピング決定部２０４は、τｍａｘ情報取得部２０３から出力されたτｍａｘ情報に基づいて、データマッピング方法を決定し、決定したデータマッピング方法をデータマッピング部２０７に通知する。データマッピング方法については後述する。【００３１】
一方、送信データはデータＡとデータＢとに分離され、データＡが変調部２０５に、データＢが変調部２０６にそれぞれ入力される。【００３２】
変調部２０５及び変調部２０６は、それぞれ入力されたデータにＰＳＫ変調やＱＡＭ変調などの変調方式を用いて変調し、変調した信号をデータマッピング部２０７に出力する。【００３３】
データマッピング部２０７は、変調部２０５及び変調部２０６から出力された信号をデータマッピング決定部２０４で決定されたデータマッピング方法でデータマッピングし、マッピングした信号をＧＩ付加部２０８に出力する。【００３４】
ＧＩ付加部２０８は、データマッピング部２０７から出力された信号のデータ部後端から所定の一部をコピーすることによりＧＩを生成し、生成したＧＩをデータ部先頭に付加した信号を送信ＲＦ部２０９に出力する。ＧＩの生成方法の具体例としては、図７に示すように、データ部長を１６シンボルとし、ＧＩ長を４シンボルとして、データ部先頭から順に配置されるシンボルをシンボル番号１〜１６で区別すると、データ部後端からＧＩ長の４シンボル、すなわち、シンボル番号１３〜１６をコピーすることによりＧＩを生成することになる。【００３５】
送信ＲＦ部２０９は、ＧＩ付加部２０８から出力された信号にＤ／Ａ変換、アップコンバート等の所定の無線送信処理を行い、処理を行った信号をアンテナ２０１を介して送信する。【００３６】
ここで、データマッピング決定部２０４におけるデータマッピング方法について説明する。データマッピング決定部２０４は、通信相手から送信（フィードバック）されたτｍａｘ情報を取得し、図８に示すように、データ部後端から（ＴＧＩ−τｍａｘ）に相当する部分、すなわち、実施の形態１で説明した受信装置１００において誤り率特性が改善する部分に、制御チャネル、システマチックビット、再送ビット、ＡＣＫ／ＮＡＣＫ情報（ＡＣＫまたはＮＡＣＫ）、ＣＱＩ（Channel Quality Indicator）、ＴＦＣＩ（Transport Format Combination Indicator）、復調に必要な情報、パイロット、パワコンビットなどの重要な情報をマッピングするものである。この方法によれば、重要な情報を正確に受信装置に送信することができる。【００３７】
したがって、送信装置２００は変調部２０５に入力するデータＡを重要な情報とし、変調部２０６に入力するデータＢをそれ以外の通常の情報とすると、データマッピング部２０７は、データＡをデータ部後端から（ＴＧＩ−τｍａｘ）に相当する部分にマッピングし、データＢを残りのデータ部にマッピングすることになる。【００３８】
このように実施の形態２によれば、τｍａｘ情報に基づいて、誤り率特性が改善する部分を求め、求めた部分に重要な情報をマッピングすることにより、重要な情報を正確に受信装置に送信することができるので、システム全体のスループットを向上させることができる。【００３９】
なお、本実施の形態では、ＦＤＤ方式を適用し、τｍａｘ情報が通信相手からフィードバックされる場合について説明したが、本発明はこれに限らず、ＴＤＤ方式を適用してもよく、この場合、受信信号に基づいてτｍａｘを測定することが可能であるが、ＦＤＤ、ＴＤＤともこれらτｍａｘの取得方法について限定されるものではない。【００４０】
（実施の形態３）
実施の形態２では、データマッピング方法としてτｍａｘ情報に基づいてデータマッピングを行う方法について説明したが、ここでは、その他のデータマッピング方法について説明する。以下、実施の形態２で説明したデータマッピング方法を方法Ａとし、方法Ａとは異なる方法Ｂ〜Ｅについて説明する。【００４１】
まず、方法Ｂは、図９に示すように、データ部後端からＧＩ長（ＴＧＩ）に相当する部分に重要な情報をマッピングするものである。この方法Ｂによれば、τｍａｘが変動するため、マッピングした重要な情報の全てについて誤り率特性を改善することにはならないものの、τｍａｘ情報の取得が困難な場合、またはτｍａｘ情報を取得するための追加回路の実装を回避したい場合などにおいて、重要な情報の誤り率特性を改善する可能性を高めることができる。【００４２】
次に、方法Ｃは、図１０に示すように、データ部後端からＧＩ長（ＴＧＩ）に相当する部分において、重要な情報を重要度の高い順にデータ部後端からマッピングするものである。これは、データ部後端に近いほど誤り率特性が改善する可能性が高いためである。【００４３】
この理由について説明する。τｍａｘは０〜ＴＧＩまで変化する可能性があり、τｍａｘが０の場合には、データ部後端からＴＧＩに相当する全ての部分の誤り率が改善するのに対して、τｍａｘがＴＧＩの場合には、データ部後端からＴＧＩに相当する全ての部分の誤り率が他の部分と同じになり、誤り率特性の改善が望めない。【００４４】
実際のシステムにおいては、τｍａｘは０〜ＴＧＩの間なので、図８から分かるように、τｍａｘが小さくなるほど誤り率特性が改善するシンボルがデータ部後端から増えてくる。すなわち、データ部後端に近いほど誤り率特性が改善する可能性が高く、データ部後端から遠ざかるほど誤り率特性が改善する可能性が低いということになる。【００４５】
このような理由により、この方法Ｃによれば、重要度の高い情報ほど誤り率特性を改善する可能性を高めることができる。【００４６】
次に、方法Ｄは、図１１に示すように、データの重要度を判別し、重要度の高い順にデータ部後端からデータ部全体にわたってマッピングするものである。この方法Ｄによれば、データ部全体にわたるマッピング処理を単純化することができ、容易に行うことができる。【００４７】
次に、方法Ｅは、図１２に示すように、データ部後端からＧＩ長（ＴＧＩ）に相当する部分（つまり、ＧＩの元となる部分）において、両端のシンボル位置以外の部分に重要な情報をマッピングするものである。すなわち、方法Ｅでは、ＧＩの元となる部分のうち、中心部分に重要な情報を優先的にマッピングし、両端部分には重要な情報をマッピングしない。これは、以下の理由による。【００４８】
すなわち、実際のシステムにおいては、受信装置側において検出される直接波タイミングは正しい直接波タイミングよりも前方または後方に僅かにずれて検出されることがある。この場合、ＧＩの両端において隣接シンボルとの干渉が発生する。つまり、実際のシステムでは、ＧＩの元となる部分のうち両端部分については、ＳＮＲの向上が小さくなることがある。【００４９】
このような理由により、この方法Ｅによれば、重要度の高い情報ほど誤り率特性を改善する可能性を高めることができる。【００５０】
なお、方法Ｅでは、τｍａｘ情報は不要であるため、送信装置にτｍａｘ情報取得部を備える必要はない。方法Ｂ〜Ｄについても同様である。【００５１】
次に、方法Ｆ〜Ｈについて説明する。以下、１サブフレームが複数のブロック（ここでは、ブロック＃１〜＃８）から構成される場合について説明する。【００５２】
制御チャネルにて送信される制御情報の中でも、サブフレーム内での遅延は許容される一方で良好な誤り率特性が要求される情報（例えば、ＡＣＫ／ＮＡＫＣＫ情報等）と、遅延が許容されずサブフレーム内での先頭ブロックで送信すべき情報（ＣＱＩ，ＴＦＣＩ等）とに区別される。【００５３】
そこで、方法Ｆでは、図１３に示すように、サブフレーム内の先頭ブロックであるブロック＃１のＧＩ長（ＴＧＩ）に相当する部分（つまり、ブロック＃１のＧＩの元となる部分）にＣＱＩをマッピングし、ブロック＃２〜＃４のＧＩ長（ＴＧＩ）に相当する部分（つまり、ブロック＃２〜＃４のＧＩの元となる部分）にＡＣＫ／ＮＡＣＫ情報（ＡＣＫまたはＮＡＣＫ）をマッピングする。また、ＣＱＩの情報量がＴＧＩ部分に含まれるシンボル（図７では４シンボル）にて送信可能な情報量を超える場合は、図１３に示すように、ＣＱＩはブロック＃１の後端からＴＧＩ部分を超えてマッピングされる。つまり、ＣＱＩは、１ブロックのみで送信される。これに対し、ＡＣＫ／ＮＡＣＫ情報の情報量がＴＧＩ部分に含まれるシンボルにて送信可能な情報量を超える場合は、図１３に示すように、ＡＣＫ／ＮＡＣＫ情報は複数のブロック＃２〜＃４に分配されてマッピングされる。これにより、ＡＣＫ／ＮＡＣＫ情報を、先頭ブロックに後続する各ブロックでのＧＩの元となる部分のみにマッピングすることができる。ＡＣＫ／ＮＡＣＫ情報をこのようにマッピングすることにより、ＡＣＫ／ＮＡＣＫ情報に対してダイバーシチゲインも得ることができる。【００５４】
また、ＣＱＩの情報量がＴＧＩ部分に含まれるシンボルにて送信可能な情報量を超える場合は、１ブロック内においてＣＱＩを以下のようにマッピングする。【００５５】
例えば、ＣＱＩを構成する複数のビットの中でより上位のビットから優先的にＴＧＩ部分にマッピングする。上位ビットほどより良好な誤り率特性が要求されるからである。【００５６】
また、例えば、１ブロックで複数のＣＱＩを送信するときは、より高品質を示すＣＱＩを優先的にＴＧＩ部分にマッピングする。移動体通信システムにおいてＣＱＩを用いたスケジューリングを行う場合、より高品質を示すＣＱＩほどスケジューリングに用いられる可能性が高いため、より良好な誤り率特性が要求されるからである。【００５７】
次に、方法Ｇでは、図１４に示すように、サブフレーム内の先頭ブロックであるブロック＃１のＧＩ長（ＴＧＩ）に相当する部分（つまり、ブロック＃１のＧＩの元となる部分）にＴＦＣＩをマッピングし、ブロック＃２〜＃４のＧＩ長（ＴＧＩ）に相当する部分（つまり、ブロック＃２〜＃４のＧＩの元となる部分）にＡＣＫ／ＮＡＣＫ情報（ＡＣＫまたはＮＡＣＫ）をマッピングする。また、ＴＦＣＩの情報量がＴＧＩ部分に含まれるシンボル（図７では４シンボル）にて送信可能な情報量を超える場合は、図１４に示すように、ＴＦＣＩはブロック＃１の後端からＴＧＩ部分を超えてマッピングされる。つまり、ＴＦＣＩは、１ブロックのみで送信される。一方、ＡＣＫ／ＮＡＣＫ情報の情報量がＴＧＩ部分に含まれるシンボルにて送信可能な情報量を超える場合については、方法Ｆと同様である。【００５８】
また、ＴＦＣＩの情報量がＴＧＩ部分に含まれるシンボルにて送信可能な情報量を超える場合は、ＴＦＣＩのうち変調方式を示す情報を優先的にＴＧＩ部分にマッピングする。ＴＦＣＩの中でも変調方式を示す情報に誤りが生じると、その情報を用いて復調されるサブフレーム内のすべてのデータが誤ってしまうため、ＴＦＣＩの中でも変調方式を示す情報は特に良好な誤り率特性が要求されるからである。【００５９】
次に、方法Ｈでは、図１５に示すように、重要な情報である制御情報をマッピングするブロックの数を送信帯域幅に応じて変化させる。【００６０】
移動体通信システムにおいては、ブロック長およびＧＩ長（ＴＧＩ）は一定であるのに対し、送信帯域幅は変化させることが可能である。図１５に、送信帯域幅を５MHz，１０MHz，２０MHzの間で変化させた場合を一例として示す。図１５からも分かるように、１ブロックあたりのＴＧＩ部分に含まれるシンボル数は、送信帯域幅が２０MHzである場合は、送信帯域幅が１０MHzである場合の２倍、送信帯域幅が５MHzである場合の４倍となる。よって、一定量の制御情報を各ブロックのＴＧＩ部分（つまり、各ブロックでのＧＩの元となる部分）のみにマッピングする場合、送信帯域幅が大きくなるほどより少ないブロック数で制御情報を送信することが可能となる。そこで、方法Ｈでは、上記のように、制御情報をマッピングするブロックの数を送信帯域幅に応じて変化させる。具体的には、送信帯域幅が５MHzである場合にブロック＃１〜＃８の８つのブロックのＴＧＩ部分のみを用いて送信する制御情報を、送信帯域幅が１０MHzである場合はブロック＃１〜＃４の４つのブロックのＴＧＩ部分のみを用いて送信し、送信帯域幅が２０MHzである場合はブロック＃１，＃２の２つのブロックのＴＧＩ部分のみを用いて送信する。このように、方法Ｈでは、サブフレーム内において先頭ブロックから順にＴＧＩ部分のみを用いて制御情報を送信する。よって、方法Ｈでは、送信帯域幅の変化に応じて効率よく制御情報を送信することができる。【００６１】
（実施の形態４）
図１６は、本発明の実施の形態４に係る受信装置３００の構成を示すブロック図である。ただし、図１６において図３と共通する部分には、図３と同一の符号を付し、その詳しい説明は省略する。図１６が図３と異なる点は、復調部３０３を追加した点と、ＧＩ抽出部１０７をＧＩ抽出部３０１に、データ分離部１１１をデータ分離部３０２に変更した点と、最大遅延時間検出部１０５及び抽出ＧＩ長決定部１０６を削除した点である。【００６２】
ＧＩ抽出部３０１は、受信データのＧＩ長を示すＴＧＩを取得し、取得したＴＧＩ及び直接波タイミング検出部１０３から出力されたタイミングに基づいて、受信ＲＦ部１０２から出力された信号の直接波からＧＩの全部（ＧＩ先頭から後端までの全て）を抽出する。抽出ＧＩはデータ位置調整部１０８に出力される。【００６３】
データ分離部３０２は、周波数軸等化処理部１１０から出力された信号を、データ部後端からＴＧＩ分遡った位置及び２ＴＧＩ分遡った位置でそれぞれ分離する。抽出ＧＩが合成されていないデータ部先頭を含む部分は復調部１１２に出力され、抽出ＧＩが合成されたデータ部後端を含む部分は復調部１１３に出力され、データ部後端からＴＧＩ分遡った位置と２ＴＧＩ分遡った位置との間に相当する部分は復調部３０３に出力される。【００６４】
復調部３０３は、データ分離部３０２から出力されたデータを復調し、データＣを出力する。【００６５】
次に、上述した構成を有する受信装置３００の動作について図１７を用いて説明する。データ抽出部１０４では、直接波成分、遅延波成分及び受信装置におけるノイズ成分が合成された受信信号について、直接波のデータ部先頭からデータ部長ＴＤＡＴＡ分のデータが抽出される。また、ＧＩ抽出部３０１では、直接波のＧＩが抽出される。この抽出ＧＩには、直接波のＧＩ、遅延波のＧＩの一部（ＴＧＩ−τｍａｘ）、前シンボルの干渉（τｍａｘ）及びノイズ成分が含まれている。【００６６】
データ位置調整部１０８では、抽出ＧＩの後端と抽出したデータ部の後端とが一致するように抽出ＧＩのデータ位置を調整し、データ位置を調整した抽出ＧＩとデータ部とを合成部１０９において合成する。【００６７】
このようにして合成された合成信号は、直接波のＧＩエネルギーを全て合成しているので、抽出ＧＩが合成された部分はＳＮＲが向上することになる。これに対して、抽出ＧＩが合成された部分の直前部分には、前シンボルの干渉が含まれるのでＳＩＮＲが劣化する。ここで、データ部先頭から後端までの全体について平均ＳＩＮＲを見ると、確実に向上することになり、誤り率特性を改善することができる。【００６８】
図１８は、本発明の実施の形態４に係る送信装置４００の構成を示すブロック図である。ただし、図１８において図６と共通する部分には、図６と同一の符号を付し、その詳しい説明は省略する。図１８が図６と異なる点は、変調部４０１を追加した点と、データマッピング決定部２０４をデータマッピング決定部４０２に変更した点と、受信ＲＦ部２０２及びτｍａｘ情報取得部２０３を削除した点である。【００６９】
変調部４０１は、入力されたデータＣにＰＳＫ変調やＱＡＭ変調などの変調方式を用いて変調し、変調した信号をデータマッピング部２０７に出力する。【００７０】
データマッピング決定部４０２は、データマッピング方法を決定し、決定したデータマッピング方法をデータマッピング部２０７に通知する。ここで、データマッピング部２０７に通知するデータマッピング方法について図１９を用いて説明する。このデータマッピング方法によれば、図１９に示すように、データ部後端からＴＧＩに相当する部分、すなわち、誤り率特性が改善する部分に制御チャネル、復調に必要な情報、システマチックビット、パイロット、パワコンビット、ＡＣＫ／ＮＡＣＫ情報（ＡＣＫまたはＮＡＣＫ）などの重要な情報をマッピングする。また、データ部後端からＴＧＩ分遡った位置と２ＴＧＩ分遡った位置との間に相当する部分、すなわち、誤り率特性が劣化する部分にパリティビット、レピティションされたビットなどの重要ではない（非重要）情報をマッピングする。この方法によれば、重要な情報を正確に受信装置に送信することができ、重要ではない情報を品質の劣化する部分にマッピングすることにより、送信フォーマットを有効に利用することができる。【００７１】
したがって、送信装置４００は変調部２０５に入力するデータＡを重要な情報とし、変調部４０１に入力するデータＣを重要ではない情報とし、変調部２０６に入力するデータＢをそれ以外の通常の情報とすると、データマッピング部２０７は、データＡをデータ部後端からＴＧＩに相当する部分にマッピングし、データＣをデータ部後端からＴＧＩ分遡った位置と２ＴＧＩ分遡った位置との間に相当する部分にマッピングし、データＢを残りのデータ部（データ部後端から２ＴＧＩ分遡った位置以前）にマッピングすることになる。【００７２】
なお、データマッピング決定部４０２は、上述したデータマッピング方法の他に図２０に示すような方法を用いてもよい。この方法は、データの重要度を判別し、重要度の高い順に誤り率特性の良好な部分からデータをマッピングするものである。この方法によれば、重要度の高い情報を確実に受信装置に送信することができる。【００７３】
このように実施の形態４によれば、受信信号に含まれる直接波のＧＩを抽出し、抽出したＧＩ部分をデータ部後端部分と合成してから周波数軸等化処理を行うことにより、ＧＩのエネルギーを有効に利用して復調することができるので、合成部分のＳＮＲを向上させることができる。【００７４】
（実施の形態５）
上述した実施の形態１から実施の形態４では、データ部後部の所定の一部をＧＩとしてデータ部の先頭に付加する場合について説明したが、本発明の実施の形態５では、データ部前部の所定の一部をＧＩとしてデータ部の後端に付加する場合について説明する。ただし、本発明の実施の形態５に係る受信装置の構成は実施の形態１に示した図３と同様の構成であるため、図３を援用して説明する。【００７５】
図２１に、本実施の形態における受信処理を模式的に示す。データ抽出部１０４では、直接波成分、遅延波成分及び受信装置におけるノイズ成分が合成された受信信号について、直接波のデータ部先頭からデータ部長ＴＤＡＴＡ分抽出する。【００７６】
また、ＧＩ抽出部１０７では、直接波のＧＩ後端から（ＴＧＩ−τｍａｘ）分遡ったＧＩ部分を抽出する。すなわち、時間的に隣接するデータの干渉を受けない部分のＧＩを抽出する。【００７７】
データ位置調整部１０８では、抽出ＧＩの先頭と抽出したデータ部の先頭とが一致するように抽出ＧＩのデータ位置を調整し、データ位置を調整した抽出ＧＩとデータ部とを合成部１０９において合成する。【００７８】
次に、本実施の形態におけるデータマッピング方法Ｅ〜Ｈについて説明する。ただし、本発明の実施の形態５に係る送信装置の構成は実施の形態２に示した図６と同様の構成であるため、その詳細な説明は省略する。【００７９】
まず、方法Ｅは、図２２に示すように、図８に示した方法Ａに相当するものであり、データ部先頭から（ＴＧＩ−τｍａｘ）に相当する部分、すなわち、誤り率特性が改善する部分に重要な情報をマッピングするものである。【００８０】
方法Ｆは、図２３に示すように、図９に示した方法Ｂに相当するものであり、データ部先頭からＧＩ長（ＴＧＩ）に相当する部分に重要な情報をマッピングするものである。【００８１】
方法Ｇは、図２４に示すように、図１０に示した方法Ｃに相当するものであり、データ部先頭からＧＩ長（ＴＧＩ）に相当する部分において、重要な情報を重要度の高い順にデータ部先頭からマッピングするものである。【００８２】
方法Ｈは、図２５に示すように、図１１に示した方法Ｄに相当するものであり、データの重要度を判別し、重要度の高い順にデータ部先頭からデータ部全体にわたってマッピングするものである。【００８３】
このように実施の形態５によれば、データ部前部の所定の一部をＧＩとしてデータ部の後端に付加する場合においても、ＧＩのエネルギーを有効に利用して復調することができるので、合成部分のＳＮＲを向上させることができ、よって、合成部分の誤りを低減させることができる。また、重要な情報を正確に受信装置に送信することができるので、システム全体のスループットを向上させることができる。【００８４】
（実施の形態６）
実施の形態５では、データ部前部の所定の一部をＧＩとしてデータ部の後端に付加する場合において、ＧＩの一部をデータ部と合成することについて説明したが、本発明の実施の形態６では、データ部前部の所定の一部をＧＩとしてデータ部の後端に付加する場合において、ＧＩの全部（ＧＩ先頭から後端までの全て）とデータ部とを合成する場合のデータマッピング方法Ｉ及びＪについて説明する。ただし、本発明の実施の形態６に係る送信装置の構成は実施の形態４に示した図１８と同様の構成であるため、その詳細な説明は省略する。【００８５】
方法Ｉは、図２６に示すように、図１９に示した方法に相当するものであり、データ部先頭からＴＧＩに相当する部分に重要な情報をマッピングし、データ部先頭からＴＧＩ分下った位置と２ＴＧＩ分下った位置との間に相当する部分に重要ではない情報をマッピングし、残りの部分（データ部先頭から２ＴＧＩ下った位置以降）に通常データをマッピングする。【００８６】
方法Ｊは、図２７に示すように、図２０に示した方法に相当するものであり、データの重要度を判別し、重要度の高い順に誤り率特性の良好な部分からデータをマッピングするものである。【００８７】
このように実施の形態６によれば、データ部前部の所定の一部をＧＩとしてデータ部の後端に付加する場合において、ＧＩとデータ部とを合成する場合でも、重要な情報を正確に受信装置に送信することができるので、システム全体のスループットを向上させることができる。【００８８】
なお、上記各実施の形態における通常の情報としては、例えば、３ＧＰＰ規格ではＨＳ−ＤＳＣＨ、ＤＳＣＨ、ＤＰＤＣＨ、ＤＣＨ、Ｓ−ＣＣＰＣＨ、ＦＡＣＨなどのデータチャネルがある。【００８９】
また、上記各実施の形態における重要な情報としては、例えば、３ＧＰＰ規格ではＨＳ−ＤＳＣＨに付随する（associated）チャネルであるＨＳ−ＳＣＣＨや、ＨＳ−ＤＰＣＣＨ、ＲＲＭ（Radio Resource Management）のための制御情報を通知するためのＤＣＣＨ、Ｓ−ＣＣＰＣＨ、Ｐ−ＣＣＰＣＨ、ＰＣＨ、ＢＣＨ物理チャネルの制御のためのＤＰＣＣＨなどの制御チャネルがある。【００９０】
また、上記各実施の形態における重要な情報としては、ＴＦＣＩがある。ＴＦＣＩはデータフォーマットを通知するための情報であるので、ＴＦＣＩが誤って受信されるとフレームまたはサブフレームのすべてのデータが誤って受信されることになる。よって、上記各実施の形態においてＴＦＣＩを重要な情報として扱って、ＴＦＣＩの誤り率特性を向上させることが有効である。【００９１】
また、制御チャネルが共通制御チャネルと個別制御チャネルとに大別される場合、共通制御チャネルを上記各実施の形態における重要な情報として扱い、個別制御チャネルを上記各実施の形態における通常の情報として扱ってもよい。共通制御チャネルは複数の移動局に共通に送信されため、各移動局に個別に送信される個別制御チャネルに比べ、より良好な誤り率特性が要求されるからである。【００９２】
また、上記各実施の形態における重要な情報としては、情報圧縮やデータの暗号化に用いる初期情報（Initialization Vector）がある。この初期情報は、その後の通信の基本となるものであるので、誤って受信されると、その後の一連の通信がすべて不能になってしまうおそれがあるからである。よって、上記各実施の形態において初期情報を重要な情報として扱って、初期情報の誤り率特性を向上させることが有効である。【００９３】
また、音声多重信号の中心チャネルのデータを上記各実施の形態における重要な情報として扱ってもよい。音声多重信号において中心チャネルのデータを誤ることは、他のチャネル（左右のチャネルや後部のチャネル）のデータを誤るよりも、聴感に対する劣化の影響が大きいからである。【００９４】
上記各実施の形態では、本発明をハードウェアで構成する場合を例にとって説明したが、本発明はソフトウェアで実現することも可能である。【００９５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００９６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００９７】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【００９８】
２００６年３月１５日出願の特願２００６−０７０９６３の日本出願に含まれる明細書、図面および要約書の開示内容は、すべて本願に援用される。
【産業上の利用可能性】
【００９９】
本発明にかかる無線受信装置及び無線送信装置は、ＧＩを有効に利用して復調を行い、受信品質を向上させることができ、周波数等化シングルキャリア伝送システムに用いられる基地局装置又は移動局装置などに適用することができる。
【図１】
2007105765.tif 000003
【図２】
2007105765.tif 000004
【図３】
2007105765.tif 000005
【図４】
2007105765.tif 000006
【図５】
2007105765.tif 000007
【図６】
2007105765.tif 000008
【図７】
2007105765.tif 000009
【図８】
2007105765.tif 000010
【図９】
2007105765.tif 000011
【図１０】
2007105765.tif 000012
【図１１】
2007105765.tif 000013
【図１２】
2007105765.tif 000014
【図１３】
2007105765.tif 000015
【図１４】
2007105765.tif 000016
【図１５】
2007105765.tif 000017
【図１６】
2007105765.tif 000018
【図１７】
2007105765.tif 000019
【図１８】
2007105765.tif 000020
【図１９】
2007105765.tif 000021
【図２０】
2007105765.tif 000022
【図２１】
2007105765.tif 000023
【図２２】
2007105765.tif 000024
【図２３】
2007105765.tif 000025
【図２４】
2007105765.tif 000026
【図２５】
2007105765.tif 000027
【図２６】
2007105765.tif 000028
【図２７】
2007105765.tif 000029
【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
サブフレームの先頭ブロックのデータ部後端からサイクリックプリフィックス長に相当する部分にＣＱＩまたはＴＦＣＩをマッピングするとともに、前記先頭ブロックに後続するブロックのデータ部後端からサイクリックプリフィックス長に相当する部分にＡＣＫまたはＮＡＣＫをマッピングするマッピング手段と、
データ部から前記サイクリックプリフィックス長を有するサイクリックプリフィックスを生成し、生成したサイクリックプリフィックスをデータ部の先頭に付加する付加手段と、
サイクリックプリフィックスが付加されたデータを送信する送信手段と、
を具備する無線送信装置。
【請求項２】
請求項１記載の無線送信装置を具備する基地局装置。
【請求項３】
請求項１記載の無線送信装置を具備する移動局装置。
【請求項４】
サブフレームの先頭ブロックのデータ部後端からサイクリックプリフィックス長に相当する部分にＣＱＩまたはＴＦＣＩをマッピングするとともに、前記先頭ブロックに後続するブロックのデータ部後端からサイクリックプリフィックス長に相当する部分にＡＣＫまたはＮＡＣＫをマッピングするマッピング工程と、
データ部から前記サイクリックプリフィックス長を有するサイクリックプリフィックスを生成し、生成したサイクリックプリフィックスをデータ部の先頭に付加する付加工程と、
サイクリックプリフィックスが付加されたデータを送信する送信工程と、
を具備する無線送信方法。
【手続補正２】
【補正対象書類名】明細書
【補正対象項目名】全文
【補正方法】変更
【補正の内容】
【発明の詳細な説明】
【技術分野】
【０００１】
本発明は、無線送信装置及び無線送信方法に関し、特に、シングルキャリア伝送システムに用いられる無線送信装置及び無線送信方法に関する。
【背景技術】
【０００２】
近年、次世代移動体通信システム向けに、周波数等化シングルキャリア伝送システムが検討されている。周波数等化シングルキャリア伝送システムでは、時間軸方向に配置されたデータシンボルがシングルキャリアで伝送される。受信装置は、伝送路における信号の歪みを周波数軸上で等化することによりその歪みを補正する。より具体的には、周波数軸上で周波数毎にチャネル推定値を算出し、周波数毎に伝搬路歪みを等化するための重み付けを行う。そして、受信したデータを復調する。
【０００３】
このような周波数等化シングルキャリア伝送システムとして、特許文献１に開示された技術があり、以下、この技術について簡単に説明する。特許文献１に開示の伝送システムでは、図１に示すように、送信データ（図中データ部）の後部の所定の一部をガードインターバル（以下、「ＧＩ」と省略する）としてデータ部の先頭に付加した信号を生成する。このように生成された信号は送信装置から送信され、伝搬路中で直接波と遅延波が合成されて受信装置に到達する。受信装置では、図２に示すように、受信したデータに対してタイミング同期処理を行い、直接波のデータ部の先頭からデータ部長の信号が抽出される。これにより、抽出された信号は、直接波成分、遅延波成分及び受信装置におけるノイズ成分が含まれており、これらの成分が合成された信号となる。そして、抽出された信号は、周波数軸で波形歪みの等化処理（周波数軸等化）を施され、復調される。
【０００４】
なお、ＧＩをサイクリックプリフィックス（Cyclic Prefix）と称することもある。
【特許文献１】特開２００４−３４９８８９号公報
【発明の開示】
【発明が解決しようとする課題】
【０００５】
しかしながら、上述した特許文献１に開示の技術では、ＧＩを挿入していることから同一データを繰り返し送信していることになるが、復調に使用されないＧＩ部分のエネルギーが無駄になっている。一般に、ＧＩはデータ部長の１０〜２５％とすることが多く、視点を変えると、送信エネルギーの１０〜２５％近くが常に無駄になっていることになる。
【０００６】
本発明の目的は、ＧＩを有効に利用して受信品質を向上させることができる無線送信装置及び無線送信方法を提供することである。
【課題を解決するための手段】
【０００７】
本発明の無線送信装置は、サブフレームの先頭ブロックのデータ部後端からサイクリックプリフィックス長に相当する部分にＣＱＩまたはＴＦＣＩをマッピングするとともに、前記先頭ブロックに後続するブロックのデータ部後端からサイクリックプリフィックス長に相当する部分にＡＣＫまたはＮＡＣＫをマッピングするマッピング手段と、データ部から前記サイクリックプリフィックス長を有するサイクリックプリフィックスを生成し、生成したサイクリックプリフィックスをデータ部の先頭に付加する付加手段と、サイクリックプリフィックスが付加されたデータを送信する送信手段と、を具備する構成を採る。
【発明の効果】
【０００８】
本発明によれば、サイクリックプリフィックスを有効に利用して受信品質を向上させる
ことができる。
【発明を実施するための最良の形態】
【０００９】
以下、本発明の実施の形態について、図面を参照して詳細に説明する。
【００１０】
（実施の形態１）
図３は、本発明の実施の形態１に係る受信装置１００の構成を示すブロック図である。この図において、受信ＲＦ部１０２は、アンテナ１０１を介して受信した信号に対して、ダウンコンバート、Ａ／Ｄ変換などの所定の無線受信処理を行い、処理を行った信号を直接波タイミング検出部１０３、データ抽出部１０４、最大遅延時間検出部１０５及びＧＩ抽出部１０７に出力する。
【００１１】
直接波タイミング検出部１０３は、受信ＲＦ部１０２から出力された信号から、図４に示すような直接波のデータ部先頭のタイミング（直接波タイミング）を検出し、検出したタイミングをデータ抽出部１０４及びＧＩ抽出部１０７に出力する。
【００１２】
データ抽出部１０４は、直接波タイミング検出部１０３から出力されたタイミングに基づいて、受信ＲＦ部１０２から出力された信号の直接波のデータ部先頭からデータ部長ＴＤＡＴＡの信号を抽出し、抽出した信号を合成部１０９に出力する。
【００１３】
最大遅延時間検出部１０５は、受信ＲＦ部１０２から出力された信号から遅延波の最大
時間（最大遅延時間τｍａｘ）を検出し、検出した最大遅延時間τｍａｘを抽出ＧＩ長決定部１０６に出力する。
【００１４】
抽出ＧＩ長決定部１０６は、受信データのＧＩ長を示すＴＧＩを取得し、取得したＴＧＩから最大遅延時間τｍａｘを差し引くことにより求めた長さをＧＩ抽出部１０７及びデータ分離部１１１に出力する。
【００１５】
ＧＩ抽出部１０７は、抽出ＧＩ長決定部１０６により求めた長さのＧＩを受信ＲＦ部１０２から出力された信号から抽出し、抽出したＧＩ（以下、「抽出ＧＩ」という）をデータ位置調整部１０８に出力する。データ位置調整部１０８は、ＧＩ抽出部１０７から出力された抽出ＧＩの後端をデータ部後端の位置に調整し、データ位置を調整した抽出ＧＩを合成部１０９に出力する。
【００１６】
合成部１０９は、データ抽出部１０４から出力されたデータ部とデータ位置調整部１０８から出力された抽出ＧＩとを合成し、合成した信号を周波数軸等化処理部１１０に出力する。周波数軸等化処理部１１０は、合成部１０９から出力された信号の歪みを周波数軸上で等化することにより歪みを補正し、補正した信号をデータ分離部１１１に出力する。
【００１７】
データ分離部１１１は、周波数軸等化処理部１１０から出力された信号を、データ部後端から抽出ＧＩ長決定部１０６により決定された抽出ＧＩ長分遡った位置で分離する。すなわち、データ部から抽出ＧＩを合成した部分を分離する。抽出ＧＩが合成されていないデータ部先頭を含む部分は復調部１１２に出力され、抽出ＧＩが合成されたデータ部後端を含む部分は復調部１１３に出力される。
【００１８】
復調部１１２及び復調部１１３は、それぞれデータ分離部１１１から出力されたデータを復調し、復調部１１２は復調したデータＡを、復調部１１３は復調したデータＢをそれぞれ出力する。
【００１９】
次に、上述した構成を有する受信装置１００の動作について図５を用いて説明する。データ抽出部１０４では、直接波成分、遅延波成分及び受信装置におけるノイズ成分（以下、単に「ノイズ成分」という）が合成された受信信号について、直接波のデータ部先頭からデータ部長ＴＤＡＴＡ分抽出する。
【００２０】
また、ＧＩ抽出部１０７では、ＧＩ長ＴＧＩから最大遅延時間τｍａｘを差し引いたＧＩ部分を抽出する。具体的には、データ部先頭（ＧＩ後端）から最大遅延時間τｍａｘ分遡った分のＧＩ、すなわち、時間的に隣接するデータの干渉を受けない部分のＧＩを抽出する。
【００２１】
データ位置調整部１０８では、抽出ＧＩの後端と抽出したデータ部の後端とが一致するように抽出ＧＩのデータ位置を調整し、データ位置を調整した抽出ＧＩとデータ部とを合成部１０９において合成する。このとき、抽出ＧＩは、データ抽出部１０４によって抽出されたデータ部の後端部分と同じ信号であり、特に、合成する部分に含まれるノイズ成分は互いに異なる成分であることから、これらを合成することにより、合成部分のＳＮＲ（Signal to Noise Ratio）が向上することになる。合成部１０９で合成された信号は、周波数軸等化処理部１１０において信号の歪みが等化され、抽出ＧＩが合成された部分はＳＮＲが向上しているので、誤り率特性も改善することができる。
【００２２】
このように実施の形態１によれば、受信信号に含まれるＧＩから時間的に隣接するデータの干渉を受けていない部分を抽出し、抽出したＧＩ部分をデータ部後端部分と合成することにより、ＧＩのエネルギーを有効に利用して復調することができるので、合成部分の
ＳＮＲを向上させることができ、よって、合成部分の誤りを低減させることができる。
【００２３】
（実施の形態２）
ＯＦＤＭ方式のようなマルチキャリア伝送の場合には、ＧＩ部分の合成により、時間軸上においてはＯＦＤＭシンボルのうちの一部でＳＮＲが向上する。しかし、ＯＦＤＭシンボルを時間軸から周波数軸に変換すると、そのＳＮＲの向上はＯＦＤＭシンボルを構成するすべてのサブキャリアに等しく分配されてしまう。その結果、各サブキャリアにマッピングされた各シンボルのＳＮＲは等しく向上するが、その向上は小さいものとなる。
【００２４】
これに対し、本発明のようなシングルキャリア伝送では、時間軸上に配置されたシンボルがシングルキャリアで伝送されるため、ＧＩ部分の合成により、ＧＩの元となるシンボルにおいてのみＳＮＲを向上させることができる。また、ＳＮＲの向上は、約３dBと非常に大きくなることが期待される。
【００２５】
このように、マルチキャリア伝送の場合は各シンボルのＳＮＲを小さい度合いで等しく向上させることしかできないのに対し、本発明のようなシングルキャリア伝送では、ＧＩの元となる一部のシンボルにおいてのみＳＮＲを大きい度合いで向上させることができる。
【００２６】
本実施の形態は、このようなシングルキャリア伝送におけるＧＩ部分の特性に着目したものである。
【００２７】
図６は、本発明の実施の形態２に係る送信装置２００の構成を示すブロック図である。この図において、受信ＲＦ部２０２は、アンテナ２０１を介して受信した信号に対して、ダウンコンバート、Ａ／Ｄ変換などの所定の無線受信処理を行い、処理を行った信号をτｍａｘ情報取得部２０３に出力する。
【００２８】
τｍａｘ情報取得部２０３は、受信ＲＦ部２０２から出力された信号に含まれる、通信相手における遅延波の最大時間（最大遅延時間）を示すτｍａｘ情報を取得し、取得したτｍａｘ情報をデータマッピング決定部２０４に出力する。
【００２９】
データマッピング決定部２０４は、τｍａｘ情報取得部２０３から出力されたτｍａｘ情報に基づいて、データマッピング方法を決定し、決定したデータマッピング方法をデータマッピング部２０７に通知する。データマッピング方法については後述する。
【００３０】
一方、送信データはデータＡとデータＢとに分離され、データＡが変調部２０５に、データＢが変調部２０６にそれぞれ入力される。
【００３１】
変調部２０５及び変調部２０６は、それぞれ入力されたデータにＰＳＫ変調やＱＡＭ変調などの変調方式を用いて変調し、変調した信号をデータマッピング部２０７に出力する。
【００３２】
データマッピング部２０７は、変調部２０５及び変調部２０６から出力された信号をデータマッピング決定部２０４で決定されたデータマッピング方法でデータマッピングし、マッピングした信号をＧＩ付加部２０８に出力する。
【００３３】
ＧＩ付加部２０８は、データマッピング部２０７から出力された信号のデータ部後端から所定の一部をコピーすることによりＧＩを生成し、生成したＧＩをデータ部先頭に付加した信号を送信ＲＦ部２０９に出力する。ＧＩの生成方法の具体例としては、図７に示すように、データ部長を１６シンボルとし、ＧＩ長を４シンボルとして、データ部先頭から
順に配置されるシンボルをシンボル番号１〜１６で区別すると、データ部後端からＧＩ長の４シンボル、すなわち、シンボル番号１３〜１６をコピーすることによりＧＩを生成することになる。
【００３４】
送信ＲＦ部２０９は、ＧＩ付加部２０８から出力された信号にＤ／Ａ変換、アップコンバート等の所定の無線送信処理を行い、処理を行った信号をアンテナ２０１を介して送信する。
【００３５】
ここで、データマッピング決定部２０４におけるデータマッピング方法について説明する。データマッピング決定部２０４は、通信相手から送信（フィードバック）されたτｍａｘ情報を取得し、図８に示すように、データ部後端から（ＴＧＩ−τｍａｘ）に相当する部分、すなわち、実施の形態１で説明した受信装置１００において誤り率特性が改善する部分に、制御チャネル、システマチックビット、再送ビット、ＡＣＫ／ＮＡＣＫ情報（ＡＣＫまたはＮＡＣＫ）、ＣＱＩ（Channel Quality Indicator）、ＴＦＣＩ（Transport
Format Combination Indicator）、復調に必要な情報、パイロット、パワコンビットなどの重要な情報をマッピングするものである。この方法によれば、重要な情報を正確に受信装置に送信することができる。
【００３６】
したがって、送信装置２００は変調部２０５に入力するデータＡを重要な情報とし、変調部２０６に入力するデータＢをそれ以外の通常の情報とすると、データマッピング部２０７は、データＡをデータ部後端から（ＴＧＩ−τｍａｘ）に相当する部分にマッピングし、データＢを残りのデータ部にマッピングすることになる。
【００３７】
このように実施の形態２によれば、τｍａｘ情報に基づいて、誤り率特性が改善する部分を求め、求めた部分に重要な情報をマッピングすることにより、重要な情報を正確に受信装置に送信することができるので、システム全体のスループットを向上させることができる。
【００３８】
なお、本実施の形態では、ＦＤＤ方式を適用し、τｍａｘ情報が通信相手からフィードバックされる場合について説明したが、本発明はこれに限らず、ＴＤＤ方式を適用してもよく、この場合、受信信号に基づいてτｍａｘを測定することが可能であるが、ＦＤＤ、ＴＤＤともこれらτｍａｘの取得方法について限定されるものではない。
【００３９】
（実施の形態３）
実施の形態２では、データマッピング方法としてτｍａｘ情報に基づいてデータマッピングを行う方法について説明したが、ここでは、その他のデータマッピング方法について説明する。以下、実施の形態２で説明したデータマッピング方法を方法Ａとし、方法Ａとは異なる方法Ｂ〜Ｅについて説明する。
【００４０】
まず、方法Ｂは、図９に示すように、データ部後端からＧＩ長（ＴＧＩ）に相当する部分に重要な情報をマッピングするものである。この方法Ｂによれば、τｍａｘが変動するため、マッピングした重要な情報の全てについて誤り率特性を改善することにはならないものの、τｍａｘ情報の取得が困難な場合、またはτｍａｘ情報を取得するための追加回路の実装を回避したい場合などにおいて、重要な情報の誤り率特性を改善する可能性を高めることができる。
【００４１】
次に、方法Ｃは、図１０に示すように、データ部後端からＧＩ長（ＴＧＩ）に相当する部分において、重要な情報を重要度の高い順にデータ部後端からマッピングするものである。これは、データ部後端に近いほど誤り率特性が改善する可能性が高いためである。
【００４２】
この理由について説明する。τｍａｘは０〜ＴＧＩまで変化する可能性があり、τｍａｘが０の場合には、データ部後端からＴＧＩに相当する全ての部分の誤り率が改善するのに対して、τｍａｘがＴＧＩの場合には、データ部後端からＴＧＩに相当する全ての部分の誤り率が他の部分と同じになり、誤り率特性の改善が望めない。
【００４３】
実際のシステムにおいては、τｍａｘは０〜ＴＧＩの間なので、図８から分かるように、τｍａｘが小さくなるほど誤り率特性が改善するシンボルがデータ部後端から増えてくる。すなわち、データ部後端に近いほど誤り率特性が改善する可能性が高く、データ部後端から遠ざかるほど誤り率特性が改善する可能性が低いということになる。
【００４４】
このような理由により、この方法Ｃによれば、重要度の高い情報ほど誤り率特性を改善する可能性を高めることができる。
【００４５】
次に、方法Ｄは、図１１に示すように、データの重要度を判別し、重要度の高い順にデータ部後端からデータ部全体にわたってマッピングするものである。この方法Ｄによれば、データ部全体にわたるマッピング処理を単純化することができ、容易に行うことができる。
【００４６】
次に、方法Ｅは、図１２に示すように、データ部後端からＧＩ長（ＴＧＩ）に相当する部分（つまり、ＧＩの元となる部分）において、両端のシンボル位置以外の部分に重要な情報をマッピングするものである。すなわち、方法Ｅでは、ＧＩの元となる部分のうち、中心部分に重要な情報を優先的にマッピングし、両端部分には重要な情報をマッピングしない。これは、以下の理由による。
【００４７】
すなわち、実際のシステムにおいては、受信装置側において検出される直接波タイミングは正しい直接波タイミングよりも前方または後方に僅かにずれて検出されることがある。この場合、ＧＩの両端において隣接シンボルとの干渉が発生する。つまり、実際のシステムでは、ＧＩの元となる部分のうち両端部分については、ＳＮＲの向上が小さくなることがある。
【００４８】
このような理由により、この方法Ｅによれば、重要度の高い情報ほど誤り率特性を改善する可能性を高めることができる。
【００４９】
なお、方法Ｅでは、τｍａｘ情報は不要であるため、送信装置にτｍａｘ情報取得部を備える必要はない。方法Ｂ〜Ｄについても同様である。
【００５０】
次に、方法Ｆ〜Ｈについて説明する。以下、１サブフレームが複数のブロック（ここでは、ブロック＃１〜＃８）から構成される場合について説明する。
【００５１】
制御チャネルにて送信される制御情報の中でも、サブフレーム内での遅延は許容される一方で良好な誤り率特性が要求される情報（例えば、ＡＣＫ／ＮＡＫＣＫ情報等）と、遅延が許容されずサブフレーム内での先頭ブロックで送信すべき情報（ＣＱＩ，ＴＦＣＩ等）とに区別される。
【００５２】
そこで、方法Ｆでは、図１３に示すように、サブフレーム内の先頭ブロックであるブロック＃１のＧＩ長（ＴＧＩ）に相当する部分（つまり、ブロック＃１のＧＩの元となる部分）にＣＱＩをマッピングし、ブロック＃２〜＃４のＧＩ長（ＴＧＩ）に相当する部分（つまり、ブロック＃２〜＃４のＧＩの元となる部分）にＡＣＫ／ＮＡＣＫ情報（ＡＣＫまたはＮＡＣＫ）をマッピングする。また、ＣＱＩの情報量がＴＧＩ部分に含まれるシンボル（図７では４シンボル）にて送信可能な情報量を超える場合は、図１３に示すように、
ＣＱＩはブロック＃１の後端からＴＧＩ部分を超えてマッピングされる。つまり、ＣＱＩは、１ブロックのみで送信される。これに対し、ＡＣＫ／ＮＡＣＫ情報の情報量がＴＧＩ部分に含まれるシンボルにて送信可能な情報量を超える場合は、図１３に示すように、ＡＣＫ／ＮＡＣＫ情報は複数のブロック＃２〜＃４に分配されてマッピングされる。これにより、ＡＣＫ／ＮＡＣＫ情報を、先頭ブロックに後続する各ブロックでのＧＩの元となる部分のみにマッピングすることができる。ＡＣＫ／ＮＡＣＫ情報をこのようにマッピングすることにより、ＡＣＫ／ＮＡＣＫ情報に対してダイバーシチゲインも得ることができる。
【００５３】
また、ＣＱＩの情報量がＴＧＩ部分に含まれるシンボルにて送信可能な情報量を超える場合は、１ブロック内においてＣＱＩを以下のようにマッピングする。
【００５４】
例えば、ＣＱＩを構成する複数のビットの中でより上位のビットから優先的にＴＧＩ部分にマッピングする。上位ビットほどより良好な誤り率特性が要求されるからである。
【００５５】
また、例えば、１ブロックで複数のＣＱＩを送信するときは、より高品質を示すＣＱＩを優先的にＴＧＩ部分にマッピングする。移動体通信システムにおいてＣＱＩを用いたスケジューリングを行う場合、より高品質を示すＣＱＩほどスケジューリングに用いられる可能性が高いため、より良好な誤り率特性が要求されるからである。
【００５６】
次に、方法Ｇでは、図１４に示すように、サブフレーム内の先頭ブロックであるブロック＃１のＧＩ長（ＴＧＩ）に相当する部分（つまり、ブロック＃１のＧＩの元となる部分）にＴＦＣＩをマッピングし、ブロック＃２〜＃４のＧＩ長（ＴＧＩ）に相当する部分（つまり、ブロック＃２〜＃４のＧＩの元となる部分）にＡＣＫ／ＮＡＣＫ情報（ＡＣＫまたはＮＡＣＫ）をマッピングする。また、ＴＦＣＩの情報量がＴＧＩ部分に含まれるシンボル（図７では４シンボル）にて送信可能な情報量を超える場合は、図１４に示すように、ＴＦＣＩはブロック＃１の後端からＴＧＩ部分を超えてマッピングされる。つまり、ＴＦＣＩは、１ブロックのみで送信される。一方、ＡＣＫ／ＮＡＣＫ情報の情報量がＴＧＩ部分に含まれるシンボルにて送信可能な情報量を超える場合については、方法Ｆと同様である。
【００５７】
また、ＴＦＣＩの情報量がＴＧＩ部分に含まれるシンボルにて送信可能な情報量を超える場合は、ＴＦＣＩのうち変調方式を示す情報を優先的にＴＧＩ部分にマッピングする。ＴＦＣＩの中でも変調方式を示す情報に誤りが生じると、その情報を用いて復調されるサブフレーム内のすべてのデータが誤ってしまうため、ＴＦＣＩの中でも変調方式を示す情報は特に良好な誤り率特性が要求されるからである。
【００５８】
次に、方法Ｈでは、図１５に示すように、重要な情報である制御情報をマッピングするブロックの数を送信帯域幅に応じて変化させる。
【００５９】
移動体通信システムにおいては、ブロック長およびＧＩ長（ＴＧＩ）は一定であるのに対し、送信帯域幅は変化させることが可能である。図１５に、送信帯域幅を５MHz，１０MHz，２０MHzの間で変化させた場合を一例として示す。図１５からも分かるように、１ブロックあたりのＴＧＩ部分に含まれるシンボル数は、送信帯域幅が２０MHzである場合は、送信帯域幅が１０MHzである場合の２倍、送信帯域幅が５MHzである場合の４倍となる。よって、一定量の制御情報を各ブロックのＴＧＩ部分（つまり、各ブロックでのＧＩの元となる部分）のみにマッピングする場合、送信帯域幅が大きくなるほどより少ないブロック数で制御情報を送信することが可能となる。そこで、方法Ｈでは、上記のように、制御情報をマッピングするブロックの数を送信帯域幅に応じて変化させる。具体的には、送信帯域幅が５MHzである場合にブロック＃１〜＃８の８つのブロックのＴＧＩ部分のみを用
いて送信する制御情報を、送信帯域幅が１０MHzである場合はブロック＃１〜＃４の４つのブロックのＴＧＩ部分のみを用いて送信し、送信帯域幅が２０MHzである場合はブロック＃１，＃２の２つのブロックのＴＧＩ部分のみを用いて送信する。このように、方法Ｈでは、サブフレーム内において先頭ブロックから順にＴＧＩ部分のみを用いて制御情報を送信する。よって、方法Ｈでは、送信帯域幅の変化に応じて効率よく制御情報を送信することができる。
【００６０】
（実施の形態４）
図１６は、本発明の実施の形態４に係る受信装置３００の構成を示すブロック図である。ただし、図１６において図３と共通する部分には、図３と同一の符号を付し、その詳しい説明は省略する。図１６が図３と異なる点は、復調部３０３を追加した点と、ＧＩ抽出部１０７をＧＩ抽出部３０１に、データ分離部１１１をデータ分離部３０２に変更した点と、最大遅延時間検出部１０５及び抽出ＧＩ長決定部１０６を削除した点である。
【００６１】
ＧＩ抽出部３０１は、受信データのＧＩ長を示すＴＧＩを取得し、取得したＴＧＩ及び直接波タイミング検出部１０３から出力されたタイミングに基づいて、受信ＲＦ部１０２から出力された信号の直接波からＧＩの全部（ＧＩ先頭から後端までの全て）を抽出する。抽出ＧＩはデータ位置調整部１０８に出力される。
【００６２】
データ分離部３０２は、周波数軸等化処理部１１０から出力された信号を、データ部後端からＴＧＩ分遡った位置及び２ＴＧＩ分遡った位置でそれぞれ分離する。抽出ＧＩが合成されていないデータ部先頭を含む部分は復調部１１２に出力され、抽出ＧＩが合成されたデータ部後端を含む部分は復調部１１３に出力され、データ部後端からＴＧＩ分遡った位置と２ＴＧＩ分遡った位置との間に相当する部分は復調部３０３に出力される。
【００６３】
復調部３０３は、データ分離部３０２から出力されたデータを復調し、データＣを出力する。
【００６４】
次に、上述した構成を有する受信装置３００の動作について図１７を用いて説明する。データ抽出部１０４では、直接波成分、遅延波成分及び受信装置におけるノイズ成分が合成された受信信号について、直接波のデータ部先頭からデータ部長ＴＤＡＴＡ分のデータが抽出される。また、ＧＩ抽出部３０１では、直接波のＧＩが抽出される。この抽出ＧＩには、直接波のＧＩ、遅延波のＧＩの一部（ＴＧＩ−τｍａｘ）、前シンボルの干渉（τｍａｘ）及びノイズ成分が含まれている。
【００６５】
データ位置調整部１０８では、抽出ＧＩの後端と抽出したデータ部の後端とが一致するように抽出ＧＩのデータ位置を調整し、データ位置を調整した抽出ＧＩとデータ部とを合成部１０９において合成する。
【００６６】
このようにして合成された合成信号は、直接波のＧＩエネルギーを全て合成しているので、抽出ＧＩが合成された部分はＳＮＲが向上することになる。これに対して、抽出ＧＩが合成された部分の直前部分には、前シンボルの干渉が含まれるのでＳＩＮＲが劣化する。ここで、データ部先頭から後端までの全体について平均ＳＩＮＲを見ると、確実に向上することになり、誤り率特性を改善することができる。
【００６７】
図１８は、本発明の実施の形態４に係る送信装置４００の構成を示すブロック図である。ただし、図１８において図６と共通する部分には、図６と同一の符号を付し、その詳しい説明は省略する。図１８が図６と異なる点は、変調部４０１を追加した点と、データマッピング決定部２０４をデータマッピング決定部４０２に変更した点と、受信ＲＦ部２０２及びτｍａｘ情報取得部２０３を削除した点である。
【００６８】
変調部４０１は、入力されたデータＣにＰＳＫ変調やＱＡＭ変調などの変調方式を用いて変調し、変調した信号をデータマッピング部２０７に出力する。
【００６９】
データマッピング決定部４０２は、データマッピング方法を決定し、決定したデータマッピング方法をデータマッピング部２０７に通知する。ここで、データマッピング部２０７に通知するデータマッピング方法について図１９を用いて説明する。このデータマッピング方法によれば、図１９に示すように、データ部後端からＴＧＩに相当する部分、すなわち、誤り率特性が改善する部分に制御チャネル、復調に必要な情報、システマチックビット、パイロット、パワコンビット、ＡＣＫ／ＮＡＣＫ情報（ＡＣＫまたはＮＡＣＫ）などの重要な情報をマッピングする。また、データ部後端からＴＧＩ分遡った位置と２ＴＧＩ分遡った位置との間に相当する部分、すなわち、誤り率特性が劣化する部分にパリティビット、レピティションされたビットなどの重要ではない（非重要）情報をマッピングする。この方法によれば、重要な情報を正確に受信装置に送信することができ、重要ではない情報を品質の劣化する部分にマッピングすることにより、送信フォーマットを有効に利用することができる。
【００７０】
したがって、送信装置４００は変調部２０５に入力するデータＡを重要な情報とし、変調部４０１に入力するデータＣを重要ではない情報とし、変調部２０６に入力するデータＢをそれ以外の通常の情報とすると、データマッピング部２０７は、データＡをデータ部後端からＴＧＩに相当する部分にマッピングし、データＣをデータ部後端からＴＧＩ分遡った位置と２ＴＧＩ分遡った位置との間に相当する部分にマッピングし、データＢを残りのデータ部（データ部後端から２ＴＧＩ分遡った位置以前）にマッピングすることになる。
【００７１】
なお、データマッピング決定部４０２は、上述したデータマッピング方法の他に図２０に示すような方法を用いてもよい。この方法は、データの重要度を判別し、重要度の高い順に誤り率特性の良好な部分からデータをマッピングするものである。この方法によれば、重要度の高い情報を確実に受信装置に送信することができる。
【００７２】
このように実施の形態４によれば、受信信号に含まれる直接波のＧＩを抽出し、抽出したＧＩ部分をデータ部後端部分と合成してから周波数軸等化処理を行うことにより、ＧＩのエネルギーを有効に利用して復調することができるので、合成部分のＳＮＲを向上させることができる。
【００７３】
（実施の形態５）
上述した実施の形態１から実施の形態４では、データ部後部の所定の一部をＧＩとしてデータ部の先頭に付加する場合について説明したが、本発明の実施の形態５では、データ部前部の所定の一部をＧＩとしてデータ部の後端に付加する場合について説明する。ただし、本発明の実施の形態５に係る受信装置の構成は実施の形態１に示した図３と同様の構成であるため、図３を援用して説明する。
【００７４】
図２１に、本実施の形態における受信処理を模式的に示す。データ抽出部１０４では、直接波成分、遅延波成分及び受信装置におけるノイズ成分が合成された受信信号について、直接波のデータ部先頭からデータ部長ＴＤＡＴＡ分抽出する。
【００７５】
また、ＧＩ抽出部１０７では、直接波のＧＩ後端から（ＴＧＩ−τｍａｘ）分遡ったＧＩ部分を抽出する。すなわち、時間的に隣接するデータの干渉を受けない部分のＧＩを抽出する。
【００７６】
データ位置調整部１０８では、抽出ＧＩの先頭と抽出したデータ部の先頭とが一致するように抽出ＧＩのデータ位置を調整し、データ位置を調整した抽出ＧＩとデータ部とを合成部１０９において合成する。
【００７７】
次に、本実施の形態におけるデータマッピング方法Ｅ〜Ｈについて説明する。ただし、本発明の実施の形態５に係る送信装置の構成は実施の形態２に示した図６と同様の構成であるため、その詳細な説明は省略する。
【００７８】
まず、方法Ｅは、図２２に示すように、図８に示した方法Ａに相当するものであり、データ部先頭から（ＴＧＩ−τｍａｘ）に相当する部分、すなわち、誤り率特性が改善する部分に重要な情報をマッピングするものである。
【００７９】
方法Ｆは、図２３に示すように、図９に示した方法Ｂに相当するものであり、データ部先頭からＧＩ長（ＴＧＩ）に相当する部分に重要な情報をマッピングするものである。
【００８０】
方法Ｇは、図２４に示すように、図１０に示した方法Ｃに相当するものであり、データ部先頭からＧＩ長（ＴＧＩ）に相当する部分において、重要な情報を重要度の高い順にデータ部先頭からマッピングするものである。
【００８１】
方法Ｈは、図２５に示すように、図１１に示した方法Ｄに相当するものであり、データの重要度を判別し、重要度の高い順にデータ部先頭からデータ部全体にわたってマッピングするものである。
【００８２】
このように実施の形態５によれば、データ部前部の所定の一部をＧＩとしてデータ部の後端に付加する場合においても、ＧＩのエネルギーを有効に利用して復調することができるので、合成部分のＳＮＲを向上させることができ、よって、合成部分の誤りを低減させることができる。また、重要な情報を正確に受信装置に送信することができるので、システム全体のスループットを向上させることができる。
【００８３】
（実施の形態６）
実施の形態５では、データ部前部の所定の一部をＧＩとしてデータ部の後端に付加する場合において、ＧＩの一部をデータ部と合成することについて説明したが、本発明の実施の形態６では、データ部前部の所定の一部をＧＩとしてデータ部の後端に付加する場合において、ＧＩの全部（ＧＩ先頭から後端までの全て）とデータ部とを合成する場合のデータマッピング方法Ｉ及びＪについて説明する。ただし、本発明の実施の形態６に係る送信装置の構成は実施の形態４に示した図１８と同様の構成であるため、その詳細な説明は省略する。
【００８４】
方法Ｉは、図２６に示すように、図１９に示した方法に相当するものであり、データ部先頭からＴＧＩに相当する部分に重要な情報をマッピングし、データ部先頭からＴＧＩ分下った位置と２ＴＧＩ分下った位置との間に相当する部分に重要ではない情報をマッピングし、残りの部分（データ部先頭から２ＴＧＩ下った位置以降）に通常データをマッピングする。
【００８５】
方法Ｊは、図２７に示すように、図２０に示した方法に相当するものであり、データの重要度を判別し、重要度の高い順に誤り率特性の良好な部分からデータをマッピングするものである。
【００８６】
このように実施の形態６によれば、データ部前部の所定の一部をＧＩとしてデータ部の後端に付加する場合において、ＧＩとデータ部とを合成する場合でも、重要な情報を正確
に受信装置に送信することができるので、システム全体のスループットを向上させることができる。
【００８７】
なお、上記各実施の形態における通常の情報としては、例えば、３ＧＰＰ規格ではＨＳ−ＤＳＣＨ、ＤＳＣＨ、ＤＰＤＣＨ、ＤＣＨ、Ｓ−ＣＣＰＣＨ、ＦＡＣＨなどのデータチャネルがある。
【００８８】
また、上記各実施の形態における重要な情報としては、例えば、３ＧＰＰ規格ではＨＳ−ＤＳＣＨに付随する（associated）チャネルであるＨＳ−ＳＣＣＨや、ＨＳ−ＤＰＣＣＨ、ＲＲＭ（Radio Resource Management）のための制御情報を通知するためのＤＣＣＨ、Ｓ−ＣＣＰＣＨ、Ｐ−ＣＣＰＣＨ、ＰＣＨ、ＢＣＨ物理チャネルの制御のためのＤＰＣＣＨなどの制御チャネルがある。
【００８９】
また、上記各実施の形態における重要な情報としては、ＴＦＣＩがある。ＴＦＣＩはデータフォーマットを通知するための情報であるので、ＴＦＣＩが誤って受信されるとフレームまたはサブフレームのすべてのデータが誤って受信されることになる。よって、上記各実施の形態においてＴＦＣＩを重要な情報として扱って、ＴＦＣＩの誤り率特性を向上させることが有効である。
【００９０】
また、制御チャネルが共通制御チャネルと個別制御チャネルとに大別される場合、共通制御チャネルを上記各実施の形態における重要な情報として扱い、個別制御チャネルを上記各実施の形態における通常の情報として扱ってもよい。共通制御チャネルは複数の移動局に共通に送信されため、各移動局に個別に送信される個別制御チャネルに比べ、より良好な誤り率特性が要求されるからである。
【００９１】
また、上記各実施の形態における重要な情報としては、情報圧縮やデータの暗号化に用いる初期情報（Initialization Vector）がある。この初期情報は、その後の通信の基本となるものであるので、誤って受信されると、その後の一連の通信がすべて不能になってしまうおそれがあるからである。よって、上記各実施の形態において初期情報を重要な情報として扱って、初期情報の誤り率特性を向上させることが有効である。
【００９２】
また、音声多重信号の中心チャネルのデータを上記各実施の形態における重要な情報として扱ってもよい。音声多重信号において中心チャネルのデータを誤ることは、他のチャネル（左右のチャネルや後部のチャネル）のデータを誤るよりも、聴感に対する劣化の影響が大きいからである。
【００９３】
上記各実施の形態では、本発明をハードウェアで構成する場合を例にとって説明したが、本発明はソフトウェアで実現することも可能である。
【００９４】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９６】
さらには、半導体技術の進歩または派生する別技術によりＬＳＩに置き換わる集積回路
化の技術が登場すれば、当然、その技術を用いて機能ブロックの集積化を行ってもよい。バイオ技術の適用等が可能性としてありえる。
【００９７】
２００６年３月１５日出願の特願２００６−０７０９６３の日本出願に含まれる明細書、図面および要約書の開示内容は、すべて本願に援用される。
【産業上の利用可能性】
【００９８】
本発明にかかる無線受信装置及び無線送信装置は、ＧＩを有効に利用して復調を行い、受信品質を向上させることができ、周波数等化シングルキャリア伝送システムに用いられる基地局装置又は移動局装置などに適用することができる。
【図面の簡単な説明】
【００９９】
【図１】ＧＩの生成方法を示す図
【図２】特許文献１に開示された受信装置における受信処理の説明に供する図
【図３】本発明の実施の形態１に係る受信装置の構成を示すブロック図
【図４】図３に示す受信装置が受信したデータを示す図
【図５】図３に示す受信装置における受信処理の説明に供する図
【図６】本発明の実施の形態２に係る送信装置の構成を示すブロック図
【図７】ＧＩの生成方法の説明に供する図
【図８】データマッピングの方法を示す送信フォーマット図（方法Ａ）
【図９】データマッピングの方法を示す送信フォーマット図（方法Ｂ）
【図１０】データマッピングの方法を示す送信フォーマット図（方法Ｃ）
【図１１】データマッピングの方法を示す送信フォーマット図（方法Ｄ）
【図１２】データマッピングの方法を示す送信フォーマット図（方法Ｅ）
【図１３】データマッピングの方法を示す送信フォーマット図（方法Ｆ）
【図１４】データマッピングの方法を示す送信フォーマット図（方法Ｇ）
【図１５】データマッピングの方法を示す送信フォーマット図（方法Ｈ）
【図１６】本発明の実施の形態４に係る受信装置の構成を示すブロック図
【図１７】図１６に示す受信装置における受信処理の説明に供する図
【図１８】本発明の実施の形態４に係る送信装置の構成を示すブロック図
【図１９】データマッピングの方法を示す送信フォーマット図
【図２０】データマッピングの方法を示す送信フォーマット図
【図２１】本発明の実施の形態５における受信処理の説明に供する図
【図２２】データマッピングの方法を示す送信フォーマット図
【図２３】データマッピングの方法を示す送信フォーマット図
【図２４】データマッピングの方法を示す送信フォーマット図
【図２５】データマッピングの方法を示す送信フォーマット図
【図２６】データマッピングの方法を示す送信フォーマット図
【図２７】データマッピングの方法を示す送信フォーマット図
【手続補正３】
【補正対象書類名】図面
【補正対象項目名】全図
【補正方法】変更
【補正の内容】
【図１】
2007105765.tif 000030
【図２】
2007105765.tif 000031
【図３】
2007105765.tif 000032
【図４】
2007105765.tif 000033
【図５】
2007105765.tif 000034
【図６】
2007105765.tif 000035
【図７】
2007105765.tif 000036
【図８】
2007105765.tif 000037
【図９】
2007105765.tif 000038
【図１０】
2007105765.tif 000039
【図１１】
2007105765.tif 000040
【図１２】
2007105765.tif 000041
【図１３】
2007105765.tif 000042
【図１４】
2007105765.tif 000043
【図１５】
2007105765.tif 000044
【図１６】
2007105765.tif 000045
【図１７】
2007105765.tif 000046
【図１８】
2007105765.tif 000047
【図１９】
2007105765.tif 000048
【図２０】
2007105765.tif 000049
【図２１】
2007105765.tif 000050
【図２２】
2007105765.tif 000051
【図２３】
2007105765.tif 000052
【図２４】
2007105765.tif 000053
【図２５】
2007105765.tif 000054
【図２６】
2007105765.tif 000055
【図２７】
2007105765.tif 000056
【国際調査報告】
2007105765.tif 000057
2007105765.tif 000058
2007105765.tif 000059